(57)【要約】【課題】精密な調節が不要で、構成簡単かつメンテナンスフリーの日付切替ギア装置を得る。【解決手段】通常位置からリフト位置への切替えレバー１２の回動の際に、切替えつめ１２が連結リンクに沿ってスライドし、連結リンクは、回動の第１部分２４では、通常日送り歯１６の大径部と月またぎ日送り歯１５の大径部との間の領域へのつめ歯１９の半径方向内方移動を可能にし、また、切替えレバー２の回動の続きの第２部分２５では、通常日送り歯１６の大径部を越える半径方向内方へのつめ歯１９の移動を可能にし、切替えレバー２の回動の第１部分から第２部分への移行部２６を、切替えレバー２が通常位置にあり、かつ接触フィンガ５が月切替え用鋸歯状ディスク６の凸部に接触する位置にあるときにつめ歯１９が存在する位置に設ける。【選択図】図１
2006267110.tif 000002
【特許請求の範囲】
【請求項１】
２４時間毎に１回、回動軸の周りを通常位置とリフト位置の間で回動可能な切替えレバーと、
切替えレバーの接触フィンガであって、半径方向外方から月切替え用鋸歯状ディスクの周縁部に向かって移動可能な該接触フィンガとを備え、
前記月切替え用鋸歯状ディスクは、前記周縁部に、互いに異なる深さの凹部および凸部を生ずる２０個の切欠きを設け、閏年サイクルの４８カ月を表すものとし、ひと月につき１ステップ、４年につき１回転の回転駆動を可能とし、また
３１個またはその整数倍の歯を備える回転可能に取り付けられた日付切替え用ギアを備え、この日付切替え用ギアは、３１個の歯につき、通常日送り歯より半径方向外方に突出している１個の月またぎ日送り歯を有し、接触フィンガの月切替え用鋸歯状ディスクの周縁部への接触位置に従って生ずる切替えレバーの回動に基づいて、切替えレバーにヒンジ連結しかつ半径方向に日付切替え用ギアの歯溝とかみ合う切替えつめのつめ歯によって日付切替え用ギヤの回転を可能とし、
これにより、この日付切替え用ギアによって時計の日替わりの日付表示部を駆動する永久カレンダー付き時計の日付切替ギア装置において、
通常位置からリフト位置への切替えレバー（２）の回動の際に、前記切替えつめ（１２）が連結リンクに沿ってスライドし、前記連結リンクは、前記回動の第１部分では、通常日送り歯（１６）の大径部と月またぎ日送り歯（１５）の大径部との間の領域へのつめ歯（１９）の半径方向内方移動を可能にし、また、前記切替えレバー（２）の前記回動の続きの第２部分では、通常日送り歯（１６）の大径部を越える半径方向内方への前記つめ歯（１９）の移動を可能にし、前記切替えレバー（２）の回動の第１部分から第２部分への移行部を、切替えレバー（２）が通常位置にあり、かつ接触フィンガ（５）が月切替え用鋸歯状ディスク（６）の凸部に接触する位置にあるときに前記つめ歯（１９）が存在する位置に設けた
ことを特徴とする日付切替ギア装置。
【請求項２】
日付切替え用ギア（１３）の周縁部に沿うようにストッパ湾曲部材（２３）を固定的に配置し、前記切替えレバー（２）の回動の際に、このストッパ湾曲部材（２３）に沿って、前記つめ歯（１９）がスライドし、
このとき、前記ストッパ湾曲部材（２３）は、その第１部分（２４）においては、前記日付切替え用ギア（１３）の回転軸（１４）と同心状に延び、通常日送り歯（１６）の大径部よりも外側に突き出ているが、１個の月またぎ日送り歯（１５）の大径部よりも半径方向内方に引っ込んだ位置で延びており、
第２部分（２５）においては、前記日付切替え用ギア（１３）の回転軸（１４）と同心状に延び、通常日送り歯（１６）の大径部よりも半径方向内方で延びており、前記ストッパ湾曲部材（２３）の前記第１部分（２４）から前記第２部分（２５）への移行部（２６）を、切替えレバー（２）が通常位置にあり、かつ接触フィンガ（５）が月切替え用鋸歯状ディスク（６）の凸部に接触する位置にあるときに前記つめ歯（１９）が存在する位置に設けた
請求項１に記載の日付切替ギア装置。
【請求項３】
切替えつめ（１２）に対して、前記日付切替え用ギア（１３）の歯溝とかみ合う方向にばね負荷を加えるようにした請求項１または２に記載の日付切替ギア装置。
【請求項４】
前記切替えレバー（２）は、その通常位置においてばね負荷を受けるようにした請求項１乃至３のうちのいずれか１項に記載の日付切替ギア装置。
【請求項５】
前記切替えレバー（２）および前記切替えつめ（１２）に対して、１個の共通のばね（２２）によってばね負荷を与えるようにした請求項３または４に記載の日付切替ギア装置。
【請求項６】
前記切替えつめ（１２）を２アームレバーとして構成し、この２アームレバーを、日付切替え用ギア（１３）の回転軸（１４）と平行な軸（１７）の周りに回動可能に前記切替えレバー（２）にヒンジ連結し、前記つめ歯（１９）をその一方のレバーアーム（１８）に配置し、その他方のレバーアーム（２０）がばね（２２）によってばね負荷を受けるようにした請求項５に記載の日付切替ギア装置。
【発明の詳細な説明】
【技術分野】
【０００１】
本発明は、２４時間毎に１回、回動軸の周りを通常位置とリフト位置の間で回動可能な切替えレバーと、
切替えレバーの接触フィンガであって、半径方向外方から月切替え用鋸歯状ディスクの周縁部に向かって移動可能な該接触フィンガとを備え、
前記月切替え用鋸歯状ディスクは、前記周縁部に、互いに異なる深さの凹部および凸部を生ずる２０個の切欠きを設け、閏年サイクルの４８カ月を表すものとし、ひと月につき１ステップ、４年につき１回転の回転駆動を可能とし、また
３１個またはその整数倍の歯を備える回転可能に取り付けられた日付切替え用ギアを備え、この日付切替え用ギアは、３１個の歯につき、通常日送り歯より半径方向外方に突出している１個の月またぎ日送り歯を有し、接触フィンガの月切替え用鋸歯状ディスクの周縁部への接触位置に従って生ずる切替えレバーの回動に基づいて、切替えレバーにヒンジ連結しかつ半径方向に日付切替え用ギアの歯溝とかみ合う切替えつめのつめ歯によって日付切替え用ギヤの回転を可能とし、
これにより、この日付切替え用ギアによって時計の日替わりの日付表示部を駆動する永久カレンダー付き時計の日付切替ギア装置に関するものである。
【背景技術】
【０００２】
永久カレンダーとしては、日付表示部を毎月末にうるう年を考慮してそのつど正確な日に自動的に新しい月の最初の日にセットするという機械時計装置による、日付表示部のリセットのためのメカニズムが知られている。正確な月の長さに関する情報は、毎月動き、様々な深さの切れ込みを備えた４年ごとに１回転する月切替え用鋸歯状ディスクによってコントロールされる。この月切替え用鋸歯状ディスクが、切り替えてこの、それぞれの月の長さに対応するストロークを生じさせるので、月末に対応する日数が次の月の最初の日を表示するまで１度に切り替えられる。それゆえ、毎日生じる１日分の切り替えおよび月末に１度生じる、１日分または複数日分の切り替えは、切替えレバーによって実行されなければならない。
【０００３】
はじめに述べた方法による日付切替ギア装置では、切替えレバーが２個の切替え部材を有し、その一方は日付切替え用ギアとかみ合い、毎日の日付切り替えを行う。日付切替え用ギアには、月切替え用鋸歯状ディスクによって定められるストロークに応じて切り替えてこの第２切替え部材が月末の度毎に渦巻きの段とかみ合い、日付切替え用ギアを新しい月の最初の日に対応するように合わせるように調節する渦巻き状のディスクを設ける。
【発明の開示】
【発明が解決しようとする課題】
【０００４】
しかし、２個の切替え部材が存在することによって、正確な瞬間に正確なかみ合わせが起こることを保証するには、それらのその日付切替え用ギアに対する位置および相互の位置を非常に精密に調整しなければならない。月末における切り替え時には、一方の切替え部材が他方の切替え部材の切り替えを引継ぎ、これによって衝突と回転速度の変化が生じ、これらも同様に非常に精密に調整しなければならない。
【０００５】
本発明の目的は、冒頭に述べたような日付切替ギア装置において、上述の欠点を解消し、簡単な構成によってメンテナンス不要の切り替えを保証することにある。
【課題を解決するための手段】
【０００６】
この目的を達成するため本発明日付切替ギア装置は、通常位置からリフト位置への切替えレバーの回動の際に、前記切替えつめが連結リンクに沿ってスライドし、前記連結リンクは、前記回動の第１部分では、通常日送り歯の大径部と月またぎ日送り歯の大径部との間の領域へのつめ歯の半径方向内方移動を可能にし、また、前記切替えレバーの前記回動の続きの第２部分では、通常日送り歯の大径部を越える半径方向内方への前記つめ歯の移動を可能にし、前記切替えレバーの回動の第１部分から第２部分への移行部を、切替えてこレバーが通位置にあり、かつ接触フィンガが月切替え用鋸歯状ディスクの凸部に接触する位置にあるときに前記つめ歯が存在する位置に設けたことを特徴とする。
【発明の効果】
【０００７】
このような構成によれば、単独の切替えつめによって、日付切替え用ギアを回転させ、このとき、連結リンクは、切替えつめが通常日送り歯のみまたはある特定の位置にある月またぎ日送り歯とかみ合うように調節する。
【０００８】
これによって、同じストロークであっても、切替えつめは、日付切替え用ギアを、月またぎ日送り歯の位置に応じて様々な大きさの角度にわたり回転させることができる。
【発明を実施するための最良の形態】
【０００９】
以下のような構成にすることによって、構成が簡素になる。すなわち、日付切替え用ギアの周縁部に沿うようにストッパ湾曲部材を固定的に配置し、前記切替えレバーの回動の際に、このストッパ湾曲部材に沿って、前記つめ歯がスライドし、このとき、前記ストッパ湾曲部材は、その第１部分においては、前記日付切替え用ギアの回転軸と同心状に延び、通常日送り歯の大径部よりも外側に突き出ているが、１個の月またぎ日送り歯の大径部よりも半径方向内方に引っ込んだ位置で延びており、第２部分においては、前記日付切替え用ギアの回転軸と同心状に延び、通常日送り歯の大径部よりも半径方向内方で延びており、前記ストッパ湾曲部材の前記第１部分から前記第２部分への移行部を、切替えレバーが通常位置にあり、かつ接触フィンガが月切替え用鋸歯状ディスクの凸部に接触する位置にあるときに前記つめ歯が存在する位置に設ける。
【００１０】
切替えつめが日付切替え用ギアの歯溝と確実にかみ合うようにするためには、切替えつめに日付切替え用ギアの歯溝とかみ合う方向にばね負荷を加えるようにすると好適である。
【００１１】
本発明の好適な実施例においては、切替えレバーをリフト位置から通常位置へ戻すために、切替えレバーをその通常位置へばね負荷を加えるようにする。
【００１２】
切替えレバーおよび切替えつめに対して、１個の共通のばねによってばね負荷を与えるようにすることにより、部品の点数とスペースを節約することができる。
【００１３】
さらに、切替えつめを２アームレバーとして構成し、この２アームレバーを、日付切替え用ギアの回転軸と平行な軸の周りに回動可能に切替えレバーにヒンジ連結し、つめ歯をその一方のレバーアームに配置し、その他方のレバーアームがばねによってばね負荷を受けるようにすることもできる。
【００１４】
以下、図面につき本発明の好適な実施例を詳細に説明する。
【実施例】
【００１５】
図示の日付切替ギア装置は、２４時間毎に１回、通常位置（図１〜４参照）とリフト位置（図５参照）との間で、回動軸１の周りを回動可能に駆動される切替えレバー２を有し、この切替えレバー２に設けたレバー突出部３は、矢印４の方向に力を受ける。
【００１６】
この切替えレバー２に接触フィンガ５をしっかりと連結し、この接触フィンガ５は、切替えレバー２の通常位置からリフト位置への回動により、月切替え用鋸歯状ディスク６の周縁部との接触から、半径方向に移動可能である。
【００１７】
月切替え用鋸歯状ディスク６には、その周縁部に、２０個の異なる深さを有する切欠き９，１０，１１と、凸部８とを設け、これら切欠きおよび凸部は、うるう年のサイクルである４８ヶ月を表す。これら切欠き９，１０，１１および凸部８によって、接触フィンガ５および切替えレバー２は、ある程度大きく月切替え用鋸歯状ディスク６を回転軸７に対して回動することができる。
【００１８】
隆起部８は３１日まである月を、深さの浅い切欠き９は３０日までの月を、深さの深い切欠き１０はそれぞれ２８日まである２月を、切欠き１１はうるう年の２月を表す。
【００１９】
切替えレバー２が毎日回動することにより、切替えレバー２に設けた切替えつめ１２は、日付切替え用ギア１３を回転軸１４の周りに時計方向に回転する。
【００２０】
このとき、切替えつめ１２は、３１個の鋸歯状の歯を設けた日付切替え用ギアの歯溝にかみ合う。３１個の歯のうち１個の月またぎ日送り歯１５の大径部を、そ３０個の通常日送り歯の大径部よりも半径方向外方に突出させる。
【００２１】
図示しない伝動装置の歯車を介して、日付切替え用ギア１３によって、やはり図示しない時計の日付表示部を駆動することができる。
【００２２】
切替えつめ１２は２アームレバーとして構成し、日付切替え用ギア１３の回転軸１４に平行な軸１７の周りに回動可能に切替えレバー２に対して連結し、このとき、第１レバーアーム１８には、日付切替え用ギア１３の歯溝にかみ合うつめ歯１９を設ける。
【００２３】
他方の第２レバーアーム２０には、軸１７に平行に突出するピン２１を設け、他方の端部を固定し張力の加わったばねアーム２２の遊端がこのピン２１に当接する。
【００２４】
ピン２１の切替えレバーの回動軸１に対する半径方向距離は、第１レバーアーム１８の切替えレバーの回動軸１に対する半径方向距離よりも短いので、ばねアーム２２によって、通常位置にある切替えレバー２およびつめ歯１９を有する切替えつめ１２を、ばね力で日付切替え用ギア１３に圧着させる。
【００２５】
日付切替え用ギア１３の半径方向外方の周縁部に沿って、この日付切替え用ギア１３に隣接して、回転軸１４に同心状の第１部分２４と、回転軸１４に同心状の第２部分２５とからなるストッパ湾曲部材２３を固定的に配置する。
【００２６】
第１部分２４は、通常日送り歯１６の大径部と月またぎ日送り歯１５の大径部との間に延びる一方で、第２同心部分２５は、通常日送り歯１６の大径部よりも小さい半径で延在する。
【００２７】
つめ歯１９をストッパ湾曲部材２３の上に載置すると、切替えレバー２の回動により、ストッパ湾曲部材２３に沿って摺動する。
【００２８】
ストッパ湾曲部材２３の第１部分から第２部分への移行部２６は、切替えレバーが通常位置にあり、接触フィンガ５が月切替え用鋸歯状ディスク６の凸部８に接触しているときにつめ歯が存在する位置に配置する。
【００２９】
月が替わる際に、接触フィンガ５を有する切替えレバー２が外方に転向した位置をとり、これにより接触フィンガ５は月切替え用鋸歯状ディスク６の範囲の外側に位置するように日付表示部を製造する。このとき、月切替え用鋸歯状ディスク６は、図示しない機構によって、３１個の歯がある日付切替え用ギア１３を１ステップ分だけ段進させ、これによって、常に各月に適合する月切替え用鋸歯状ディスク６の部分が、接触フィンガ５と接する。ばねアーム２２は、接触フィンガ５を固着し、かつこの接触フィンガ５と一緒に共通の回動軸１の周りに回動する切替えレバー２を押圧し、通常位置では接触フィンガ５は月切替え用鋸歯状ディスク６に圧着させる。
【００３０】
図１では、日付切替ギア装置は、２８日まである月（２月）において占める位置にある。接触フィンガ５は、月切替え用鋸歯状ディスク６の深い切欠き１０にあるので、接触フィンガ５および切替えレバー２のストロークは、つめ歯１９が日付切替え用ギア１３の歯を４個分通過できる大きさである。しかし、切替えつめ１２が、まずストッパ湾曲部材２３の第２同心部分２５への移行部２６で日付切替え用ギア１３にかみ合うことができるように、つめ歯１９がストッパ湾曲部材２３の上にのっており、このストッパ湾曲部材２３が最初の３個の歯を覆っているので、常に日付切替え用ギア１３の歯１個分のみ回転するだけである。しかしながら、移行部２６の位置は、日付切替え用ギア１３が（１日分に対応する）歯１個分のみ回転することができるように、配置する。その後、切替えレバー２は、図５に示した最終位置に到達し、この位置では、切替えレバー２の移動経路は、ばねアーム２２が固定配置したストッパ２７に突き当たることで、制限される。
【００３１】
しかし、図１では、具体的に２月２８日の場合を示している。この日には、日付切替え用ギア１３の月またぎ日送り歯１５は、切替えつめ１２のつめ歯１９によって捕捉される位置にある。つめ歯１９が、ストッパ湾曲部材２３の輪郭を超えて突き出ているので、このような状態が実現する。したがって、つめ歯１９は、切替えつめ１２によって２月２８日の終わりに、日付切替え用ギア１３の月またぎ日送り歯１５をつかみ、４個分移動し、これは、新しい月の最初の日の日付表示に日付を切り替えるのに相当する。
【００３２】
図２では、うるう年の２月２９日の場合を示している。この場合、月切替え用鋸歯状ディスク６にある切れ込み１１はずっと浅く、日付切替え用ギア１３が２９日に対応する位置にある場合に、接触フィンガ５が上方にあることによって、切替えつめ１２のつめ歯１９が、日付切替え用ギア１３の歯３個分だけを超えることができ、月またぎ日送り歯１５の後方で初めて下方に落ちることができるように、切替えつめ２のストロークを限定する。
【００３３】
図３では、３０日まである月について、同様の場合を示している。この場合、月切替え用鋸歯状ディスク６によって限定される切替えレバー２のストロークは、歯２個分だけ送るだけで十分である。
【００３４】
図４は、３１日まである月における開始位置を示している。この場合、月末に新しい月の最初の日に到達するのに、余分な日が挿入されていないので、月切替え用鋸歯状ディスク６は、切替えレバー２に歯１個分の移動自由度を与えるのみである。ストッパ湾曲部材２３の第１部分２４と月またぎ日送り歯１５には、この場合、特別な機能はない。
【図面の簡単な説明】
【００３５】
【図１】本発明日付切替ギア装置のうるう年でない年の２月２８日の位置での切替えプロセス前の説明図である。
【図２】本発明日付切替ギア装置のうるう年の２月２９日の位置での切替えプロセス前の説明図である。
【図３】本発明日付切替ギア装置の３０日まである月の位置での切替えプロセス前の説明図である。
【図４】本発明日付切替ギア装置の３１日まである月の位置での切替えプロセス前の説明図である。
【図５】本発明日付切替ギア装置の切替えプロセス後の説明図である。
【符号の説明】
【００３６】
１    回動軸
２    切替えレバー
３    レバー突出部
４    矢印
５    接触フィンガ
６    月切替え用鋸歯状ディスク
７    回転軸
８    凸部
９    切欠き
１０  切欠き
１１  切欠き
１２  切替えつめ
１３  日付切替え用ギア
１４  回転軸
１５  月またぎ日送り歯
１６  通常日送り歯
１７  軸
１８  第１レバーアーム
１９  つめ歯
２０  第２レバーアーム
２１  ピン
２２  ばねアーム
２３  ストッパ湾曲部材
２４  第１部分
２５  第２部分
２６  移行部
２７  ストッパ
【図１】
2006267110.tif 000003
【図２】
2006267110.tif 000004
【図３】
2006267110.tif 000005
【図４】
2006267110.tif 000006
【図５】
2006267110.tif 000007